(57)【要約】【課題】被測定部位に巻き付けられる折り畳みタイプの血圧測定用カフとこのカフに一体的に取り付けられた本体とを有する血圧計であって、装着時に被測定部位に対する本体の位置ずれを防止できるものを提供すること。【解決手段】カフ２０は、このカフの周方向に沿って、本体１０の一方の端部から外側へ延在する第１部分２１と、本体１０に沿った第２部分２２と、本体１０の他方の端部から外側へ延在する第３部分２３とを有する。第１部分２１の外周面に、実質的に長円形状をもつリング８０が取り付けられている。第３部分２３のうち上記本体寄りの直近部分の外周面に面状ファスナ７０が取り付けられている。本体１０は、カフ２０の周方向に沿った方向に関して、この本体１０の中央よりも装着時にカフ２０の第３部分２３がリング８０を通して引っ張られる向きＢとは反対の上記他方の端部側へ偏った位置に重心Ｇを有する。【選択図】図１
2013215397.tif 000002
【特許請求の範囲】
【請求項１】
被測定部位に巻き付けられる血圧測定用カフと、このカフに一体に取り付けられた本体とを有する血圧計であって、
上記カフは、
このカフの周方向に沿って、上記本体の一方の端部から外側へ延在する第１部分と、上記本体に沿った第２部分と、上記本体の上記一方の端部と反対側の他方の端部から外側へ延在する第３部分とを有し、
上記第１部分の外周面に、実質的に長円形状をもつリングが取り付けられ、
上記第３部分のうち上記本体寄りの直近部分の外周面に面状ファスナが取り付けられ、
装着時に、上記被測定部位に上記第２部分が載せられ、上記第３部分のうち上記直近部分よりも上記本体から遠い遠隔部分が上記リングを通して引っ張られるとともに折り返されて、上記面状ファスナに固定され、
上記本体は、上記カフの周方向に沿った方向に関して、この本体の中央よりも上記装着時に上記カフの上記第３部分が上記リングを通して引っ張られる向きとは反対の上記他方の端部側へ偏った位置に重心を有することを特徴とする血圧計。
【請求項２】
請求項１に記載の血圧計において、
上記重心は、上記本体内に搭載された複数の部品のうち最も重い部品が、上記本体内で上記中央よりも上記他方の端部側に配置されることによって設定されていることを特徴とする血圧計。
【請求項３】
請求項１または２に記載の血圧計において、
上記本体の上記カフに沿った面は、上記カフの周方向に関して、上記本体の中央に対応する平坦面部と、この平坦面部から上記他方の端部側へ連なって延在し、上記被測定部位としての手首の外周に沿うように湾曲した曲面部とを有することを特徴とする血圧計。
【請求項４】
請求項１から３までのいずれか一つに記載の血圧計において、
上記本体は、上記カフの周方向に沿った方向に関して、この本体の中央を含み実質的に均一な厚さを有する主部と、この主部から上記他方の端部側へ連なって延在し、上記被測定部位へ近づく向きに傾斜した傾斜部とを有し、
上記重心は上記傾斜部内で、上記主部の厚さ方向に関して中央を通る平面よりも上記被測定部位に近い側に位置していることを特徴とする血圧計。
【請求項５】
請求項４に記載の血圧計において、
上記カフの周方向に沿った方向に関して、上記傾斜部の中央部の厚さが上記主部の厚さよりも厚いことを特徴とする血圧計。
【発明の詳細な説明】
【技術分野】
【０００１】
この発明は血圧計に関し、より詳しくは、血圧測定用カフとこのカフに一体的に取り付けられた本体とを有する血圧計に関する。
【背景技術】
【０００２】
従来、この種の血圧計としては、例えば特許文献１（特許第３１７５９８０号公報）に開示されているように、腕や手首に巻き付けられるカフ(圧迫帯)と、このカフに一体的に取り付けられ、血圧の測定表示部を有する本体とを備えたものが知られている。この血圧計では、本体におけるカフの周方向に沿った両端に一対の収容部を備え、この一対の収容部にそれぞれ重量物が配置されている。この結果、「やじろべえ」のように、腕や手首への装着時に本体が安定を保つことが図られている。
【先行技術文献】
【特許文献】
【０００３】
【特許文献１】特許第３１７５９８０号公報
【発明の概要】
【発明が解決しようとする課題】
【０００４】
ところで、最近の血圧計では、持ち運びの容易さなどから、カフの一端近傍の外周面に略長円形状のリングが取り付けられた折り畳みタイプのカフを有するものが注目されている。この折り畳みタイプのカフを有する血圧計では、装着時に、使用者が、カフの本体に沿った部分を腕や手首に載せ、カフの他端を上記リングに通して引っ張るとともに折り返し、折り返したカフの上記他端近傍をカフの外周面に設けられた面状ファスナに固定する。
ここで、仮に特許文献１に記載のように、カフの周方向に沿った方向に関して「やじろべえ」のように本体の中央に重心が位置しているものとすると、使用者が腕や手首にカフを密着させるために、腕や手首に巻き付けられたカフの他端を上記リングに通して引っ張ったとき、腕や手首に対して上記カフの接している部分が滑って回転して、上記本体が上記引っ張った方向へ位置ずれし易いという問題がある。
そこで、この発明の課題は、被測定部位（腕や手首）に巻き付けられる折り畳みタイプの血圧測定用カフとこのカフに一体的に取り付けられた本体とを有する血圧計であって、装着時に被測定部位に対する本体の位置ずれを防止できるものを提供することにある。
【課題を解決するための手段】
【０００５】
上記課題を解決するため、この発明の血圧計は、
被測定部位に巻き付けられる血圧測定用カフと、このカフに一体に取り付けられた本体とを有する血圧計であって、
上記カフは、
このカフの周方向に沿って、上記本体の一方の端部から外側へ延在する第１部分と、上記本体に沿った第２部分と、上記本体の上記一方の端部と反対側の他方の端部から外側へ延在する第３部分とを有し、
上記第１部分の外周面に、実質的に長円形状をもつリングが取り付けられ、
上記第３部分のうち上記本体寄りの直近部分の外周面に面状ファスナが取り付けられ、
装着時に、上記被測定部位に上記第２部分が載せられ、上記第３部分のうち上記直近部分よりも上記本体から遠い遠隔部分が上記リングを通して引っ張られるとともに折り返されて、上記面状ファスナに固定され、
上記本体は、上記カフの周方向に沿った方向に関して、この本体の中央よりも上記装着時に上記カフの上記第３部分が上記リングを通して引っ張られる向きとは反対の上記他方の端部側へ偏った位置に重心を有することを特徴とする。
この発明の血圧計では、装着時に、上記被測定部位に、上記カフの上記第２部分が上記本体とともに載せられる。続いて、上記カフの上記第３部分のうち上記直近部分よりも上記本体から遠い遠隔部分が上記リングを通して引っ張られるとともに折り返されて、上記面状ファスナに固定される（折り畳みタイプ）。ここで、上記本体は、上記カフの周方向に沿った方向に関して、この本体の中央よりも上記装着時に上記カフの上記第３部分が上記リングを通して引っ張られる向きとは反対の上記他方の端部側へ偏った位置に重心を有する。したがって、装着時に、上記被測定部位としての腕や手首に対して上記本体が上記引っ張られた方向へ位置ずれし難くなる。この結果、上記血圧計は、上記被測定部位に対して正しい位置に装着される。
一実施形態の血圧計では、上記重心は、上記本体内に搭載された複数の部品のうち最も重い部品が、上記本体内で上記中央よりも上記他方の端部側に配置されることによって設定されていることを特徴とする。
この一実施形態の血圧計では、上記重心は、上記本体内に搭載された複数の部品のうち最も重い部品が、上記本体内で上記中央よりも上記他方の端部側に配置されることによって設定されている。したがって、別途特別な部品を追加することなく、上記重心の位置を簡単に設定できる。
一実施形態の血圧計では、上記本体の上記カフに沿った面は、上記カフの周方向に関して、上記本体の中央に対応する平坦面部と、この平坦面部から上記他方の端部側へ連なって延在し、上記被測定部位としての手首の外周に沿うように湾曲した曲面部とを有することを特徴とする。
この一実施形態の血圧計では、上記本体の上記カフに沿った面は、上記カフの周方向に関して、上記本体の中央に対応する平坦面部と、この平坦面部から上記他方の端部側へ連なって延在し、上記被測定部位としての手首の外周に沿うように湾曲した曲面部とを有する。したがって、上記装着時に上記カフの上記第３部分が上記リングを通して引っ張られるとき、被測定部位としての腕や手首に対して、上記本体の上記曲面部が上記カフを介して引っ掛かる状態になる。この結果、上記本体が上記引っ張られた方向へさらに位置ずれし難くなる。
一実施形態の血圧計では、
上記本体は、上記カフの周方向に沿った方向に関して、この本体の中央を含み実質的に均一な厚さを有する主部と、この主部から上記他方の端部側へ連なって延在し、上記被測定部位へ近づく向きに傾斜した傾斜部とを有し、
上記重心は上記傾斜部内で、上記主部の厚さ方向に関して中央を通る平面よりも上記被測定部位に近い側に位置していることを特徴とする。
この一実施形態の血圧計では、上記本体は、上記カフの周方向に沿った方向に関して、この本体の中央を含み実質的に均一な厚さを有する主部と、この主部から上記他方の端部側へ連なって延在し、上記被測定部位へ近づく向きに傾斜した傾斜部とを有する。そして、上記重心は上記傾斜部内で、上記主部の厚さ方向に関して中央を通る平面よりも上記被測定部位に近い側に位置している。したがって、上記装着時に上記カフの上記第３部分が上記リングを通して引っ張られるとき、被測定部位としての腕や手首に対して、上記重心を持ち上げなければ上記本体が動かない状態になる。この結果、上記本体が上記引っ張られた方向へさらに位置ずれし難くなる。
一実施形態の血圧計では、上記カフの周方向に沿った方向に関して、上記傾斜部の中央部の厚さが上記主部の厚さよりも厚いことを特徴とする。
この一実施形態の血圧計では、上記カフの周方向に沿った方向に関して、上記傾斜部の中央部の厚さが上記主部の厚さよりも厚い。したがって、上記傾斜部に、上記本体内に搭載された複数の部品のうち最も重い部品（例えば電池）を収容し易くなる。この結果、上記重心の位置をさらに簡単に設定できる。
【発明の効果】
【０００６】
以上より明らかなように、この発明の血圧計によれば、装着時に、被測定部位に対する本体の位置ずれを防止できる。
【図面の簡単な説明】
【０００７】
【図１】この発明の一実施形態の血圧計の外観を示す斜視図である。
【図２】上記血圧計が被測定部位（図示せず）に装着されたときの状態を示す斜視図である。
【図３】上記血圧計の本体を側方から見たところを示す図である。
【図４】上記血圧計の本体を正面から見たところを示す図である。
【発明を実施するための形態】
【０００８】
以下、この発明を図示の実施の形態により詳細に説明する。
図１は、この発明の一実施形態の血圧計（全体を符号１で示す。）の外観を示している。
この血圧計１は、大別して、被測定部位としての手首９０（図３参照）に巻き付けられる血圧測定用カフ２０と、このカフ２０に一体に取り付けられた本体１０とを有している。
カフ２０は、このカフ２０の周方向に沿って、本体１０の一方の端部（図１における右端）から外側へ延在する第１部分２１と、本体１０に沿った第２部分２２と、本体１０の一方の端部と反対側の他方の端部（図１における左端）から外側へ延在する第３部分２３とを有している。カフ２０の少なくとも第２部分２２には、手首９０を圧迫するための図示しない空気袋が内包されている。
第１部分２１の外周面に、実質的に長円形状をもつリング８０（図１では手前側の部分のみが現れている。）が取り付けられている。このリング８０の長手方向は、カフ２０の周方向（長手方向）に対して交差している。このリング８０の長手方向の寸法は、カフ２０（特に第３部分２３）を容易に通せるように、カフ２０の幅方向寸法よりも若干大きく設定されている。
カフ２０の第３部分２３のうち本体１０寄りの直近部分２３ａの外周面に面状ファスナ７０が取り付けられている。この例では、面状ファスナ７０は、その表面に図示しない多数の微細なフックを有している。第３部分２３のうち直近部分２３ａ以外の部分２３ｂ，２３ｃの外周面は、上記フックと係合する図示しない多数の微細なループを有している。
装着時には、図１中に矢印Ａで示すように、図示しない手のひらを上へ向けて手首９０がカフ２０の中に通されて、手首９０に、カフ２０の第２部分２２が本体１０とともに載せられる。続いて、カフ２０の第３部分２３のうち直近部分２３ａよりも本体１０から遠い遠隔部分２３ｃがリング８０を通して、矢印Ｂで示すように図１において斜め右下へ引っ張られるとともに、図２中に矢印Ｃで示すように折り返される。そして、遠隔部分２３ｃが面状ファスナ７０に押し付けられて固定される。
なお、理解の容易のために、図２では、被測定部位としての手首９０（図３参照）の図示を省略している。図２の装着状態では、カフ２０の第１部分２１の端部２１ｅは内側に巻かれる一方、第３部分２３の端部２３ｅは外に出ている。
図３は、本体１０を側方から、より詳しくは図１における手前側から見たところを示している。また、図４は、本体１０を正面から、より詳しくは図１における上方から見たところを示している。なお、図３、図４中には、理解の容易のために、それぞれＸＹＺ直交座標系を併せて表している。
図３から良く分かるように、本体１０は、カフ２０の周方向に沿った方向（図３では、概ねＸ方向）に関して、主部１１と、傾斜部１２とを有している。主部１１は、この本体１０の中央（図３では、Ｃ１とＣ２との交差箇所）を含み、Ｚ方向に関して略均一な厚さを有している。傾斜部１２は、この主部１１から図３において左側（−Ｘ側）へ連なって延在し、主部１１に対して手首９０へ近づく向きに傾斜している。
本体１０の上面１０ａは、主部１１の上面である略平坦な平坦面部１０ａ−１と、傾斜部１２の上面であり、平坦面部１０ａ−１から左側（−Ｘ側）へ連なって延在する曲面部１０ａ−２とを有している。曲面部１０ａ−２の平坦面部１０ａ−１に対する傾斜は、平坦面部１０ａ−１から−Ｘ側へ向かうに連れて、ゼロから次第に急になり、傾斜部１２の左端では平坦面部１０ａ−１に対して略垂直になっている。
本体１０の下面（カフ２０に沿った面）１０ｂは、カフ２０の周方向に関して、本体１０の主部１１の大部分（中央を含む）に対応する平坦な平坦面部１０ｂ−１と、この平坦面部１０ｂ−１から左側（−Ｘ側）に連なる曲面部１０ｂ−３と、この曲面部１０ｂ−３からさらに左側（−Ｘ側）に連なり、傾斜部１２の大部分に対応する曲面部１０ｂ−２とを有している。
曲面部１０ｂ−３は、平坦面部１０ｂ−１と曲面部１０ｂ−２との間で、手首９０としての手首の外周に沿うように図３において上に凸に湾曲している。
曲面部１０ｂ−２は、下に凸に湾曲している。この結果、カフ２０の周方向に沿った方向に関して、傾斜部１２の中央部の厚さｔ２が主部１１の厚さｔ１よりも厚くなっている。これにより、後述する電池６０を収容しやすくなっている。
図４に示すように、本体１０の上面１０ａには、血圧の測定結果や血圧に関連する情報を表示するための表示部（この例では、液晶表示素子）５０と、使用者が測定開始又は停止を指示するための測定／停止スイッチ５１と、使用者が血圧の測定を呼び出すための記録呼出スイッチ５２とが設けられている。
図３および図４から良く分かるように、本体１０の内部では、主部１１に対応する領域に、略Ｌ字形の制御基板６１と、カフ２０内の空気袋へ空気を送るためのポンプ６３とが搭載されている。制御基板６１には、図示しないＣＰＵ（中央演算処理装置）と、空気袋の中の圧力を検知する圧力センサ６２とが収容されている。また、傾斜部１２に対応する領域の略中央部に、制御基板６１、圧力センサ６２、ポンプ６３等へ電力を供給する電源としての電池６０が収容されている。本体１０内に搭載された複数の部品６０，６１，６２，６３，…のうち電池６０が最も重い部品である。
上記ＣＰＵは、測定／停止スイッチ５１や記録呼出スイッチ５２による使用者の指示に応じて、この血圧計１全体の動作を制御する。具体的には、測定／停止スイッチ５１が押されると、ポンプ６３から配管（図示せず）を通してカフ２０内の空気袋へ空気を送って手首９０を加圧する。空気袋の中の圧力を、配管（図示せず）を通して圧力センサ６２が検知する。圧力センサ６２の出力に基づいて、ＣＰＵが血圧の測定結果を取得して、測定結果を表示部５０に表示させる。記録呼出スイッチ５２が押されると、ＣＰＵは、図示しないメモリに測定結果を記録し、またはメモリから測定結果を呼び出して表示部５０に表示させる。
図３中に示すように、この血圧計１の本体１０の重心Ｇは、傾斜部１２内に位置している。詳しくは、カフ２０の周方向に沿った方向（図３では、概ねＸ方向）に関して、重心Ｇは、本体１０の外形の中央を通る平面Ｃ１よりも−Ｘ側、つまり装着時にカフ２０の第３部分２３がリング８０を通して引っ張られる向きとは反対の側に偏った位置にある。また、主部１１の厚さ方向（図３では、Ｚ方向）に関して、重心Ｇは、主部１１の中央を通る平面Ｃ２よりも−Ｚ側、つまり手首９０に近い側に位置している。また、図４中に示すように、カフ２０の幅方向（図４では、Ｙ方向）に関して、本体１０の外形の中央を通る平面Ｃ３上に位置している。
図１、図２によって説明したように、装着時に、手首９０に、カフ２０の第２部分２２が本体１０とともに載せられる。続いて、第３部分２３のうち直近部分２３ａよりも本体１０から遠い遠隔部分２３ｃがリング８０を通して引っ張られるとともに折り返されて、面状ファスナ７０に固定される。ここで、この血圧計１では、本体１０は、カフ２０の周方向に沿った方向（図３では、概ねＸ方向）に関して、本体１０の外形の中央を通る平面Ｃ１よりも−Ｘ側へ偏った位置に重心Ｇを有する。したがって、装着時に、手首９０に対して本体１０が引っ張られた方向（図１中の矢印Ｂ方向）へ位置ずれし難くなる。
しかも、装着時にカフ２０の第３部分２３がリング８０を通して引っ張られるとき、手首９０に対して、本体１０の下面１０ｂの曲面部１０ｂ−３がカフ２０を介して引っ掛かる状態になる。この結果、本体１０が引っ張られた方向（図１中の矢印Ｂ方向）へさらに位置ずれし難くなる。
さらに、重心Ｇは、傾斜部１２内で、主部１１の厚さ方向（図３では、Ｚ方向）に関して、主部１１の中央を通る平面Ｃ２よりも−Ｚ側に位置している。したがって、装着時にカフ２０の第３部分２３がリング８０を通して引っ張られるとき、手首９０に対して、重心Ｇを持ち上げなければ本体１０が動かない状態になる。この結果、本体１０が引っ張られた方向へさらに位置ずれし難くなる。
これらの結果、この血圧計１は、正しい位置に装着される。
上記重心Ｇの位置、特にＸ方向に関する位置は、主に、本体１０内に搭載された複数の部品のうち最も重い部品である電池６０が、本体１０内で中央の平面Ｃ１よりも−Ｘ側に配置されることによって設定されている。また、重心ＧのＺ方向に関する位置は、電池６０が、傾斜部１２に対応する領域の略中央部（厚さｔ２の部分）に配置されることによって設定されている。したがって、別途特別な部品を追加することなく、重心Ｇの位置を簡単に設定できる。
以上の実施形態では、被測定部位は手首であるものとしたが、これに限られるものではない。この発明は、被測定部位が腕である場合にも全く同様に適用可能である。
また、図３、図４中では、電源としての電池６０を円柱状の１本に描いているが、これに限られるものではない。電池の数は、複数、例えば単４乾電池を２本としても良い。
上述の実施形態は例示に過ぎず、この発明の範囲から逸脱することなく種々の変形が可能である。
【符号の説明】
【０００９】
１  血圧計
１０  本体
２０  カフ
２１  第１部分
２２  第２部分
２３  第３部分
８０  リング
Ｇ  重心
【図１】
2013215397.tif 000003
【図２】
2013215397.tif 000004
【図３】
2013215397.tif 000005
【図４】
2013215397.tif 000006